(57)【要約】【課題】コストをかけずに、外側のテープ巻き部分を含めて、容易に解体することのできる電線保護チューブを提供する。【解決手段】樹脂成形されたチューブ本体１１の周壁の一部に、引き裂きライン１３を介してチューブ本体１１に一体成形され、且つ、引き裂きライン１３で長手方向の全長にわたって縦に引き裂かれることにより、チューブ本体１１から切り離される切離片１４を設け、その切離片１４の断面形状を、径方向外側に鋭角の尖鋭部１４ａを有する断面形状に設定した。チューブ本体１１に長手方向に沿ってスリット１２が設けられており、そのスリット１２に隣接したチューブ本体１１の周壁端部に切離片１４が設けられている。【選択図】図４
2007202338.tif 000002
【特許請求の範囲】
【請求項１】
樹脂成形されたチューブ本体の周壁の一部に、引き裂きラインを介して該チューブ本体に一体成形され、且つ、該引き裂きラインで長手方向の全長にわたって縦に引き裂かれることにより、該チューブ本体から切り離される切離片を設け、その切離片の断面形状を、径方向外側に鋭角の尖鋭部を有する断面形状に設定したことを特徴とする電線保護チューブ。
【請求項２】
請求項１に記載の電線保護チューブであって、
前記チューブ本体に長手方向に沿ってスリットが設けられており、そのスリットに隣接した前記チューブ本体の周壁端部に前記切離片が設けられていることを特徴とする電線保護チューブ。
【発明の詳細な説明】
【技術分野】
【０００１】
本発明は、ワイヤーハーネスの解体に有利な電線保護チューブに関するものである。
【背景技術】
【０００２】
ワイヤーハーネス保護のための手段として、図５に示すようなコルゲートチューブ（電線保護チューブ）１が知られている。このコルゲートチューブ１は、一体成形したチューブ本体１１に長手方向に沿ったスリット１２を形成した構造をなしており、ワイヤーハーネスにスリット部分を押し付けて、スリットを押し広げることにより、ワイヤーハーネスの外周に装着することができる。
【０００３】
このようなスリット１２の付いたコルゲートチューブ１を使用する場合、多くは、外側からテープを巻き付けて使用することになるが、外側から巻き付けたテープが、解体時に容易に取り外せないという問題がある。
【０００４】
一方、最近では、ワイヤーハーネスの解体の仕方について多くの提案がなされている。
【０００５】
一つの手段は、電線束をテープ巻きするときに、テープの下側に引き裂き線材を入れておき、解体時は、引き裂き線材の端部を軸線方向に沿って引っ張ることで、テープを引き裂いて、取り外せるようにしたものである（例えば、特許文献１参照）。
【０００６】
また、もう一つの手段は、樹脂製外装材に引き裂き線材を埋設しておき、解体時は、引き裂き線材の端部を軸線方向に沿って引っ張ることで、外装材を縦割れ状態で引き裂き、引き裂いた後、引き裂き部の裂け幅を広げて、ワイヤーハーネスから外装材を取り外せるようにしたものである（例えば、特許文献２参照）。
【０００７】
また、更に一つの手段は、樹脂製外装材に引き裂きラインを設けておき、引き裂きラインで外装材を縦割れさせることにより、ワイヤーハーネスから外装材を取り外せるようにしたものである（例えば、特許文献３参照）。
【特許文献１】特開平１１−２６０１５１号公報
【特許文献２】特開平１１−２５２７３９号公報
【特許文献３】特開平１１−２９９０３２号公報
【発明の開示】
【発明が解決しようとする課題】
【０００８】
ところで、前記特許文献１に記載の手段は、特別に用意した引き裂き線材をテープの下に配した上でテープ巻きするというものであり、引き裂き線材が別に必要である上、組み付け時の作業が面倒である。
【０００９】
また、前記特許文献２に記載の手段は、同じく特別に用意した引き裂き線材を電線外装材の中に埋設しておくというものであり、引き裂き線材が別に必要である上に、加工が複雑である。
【００１０】
また、前記特許文献３に記載の手段は、単に引き外装材の一部を引き裂くだけのものであり、その上に巻いたテープまで引き裂くことは難しい。
【００１１】
よって、コルゲートチューブの外側にテープを巻き付けた場合の解体手段として、これらの技術を適用したとしても、コストをかけずに、容易に解体できるようにすることはできない。
【００１２】
本発明は、上記事情を考慮し、コストをかけずに、外側のテープ巻き部分を含めて、容易に解体することのできる電線保護チューブを提供することを目的とする。
【課題を解決するための手段】
【００１３】
請求項１の発明は、樹脂成形されたチューブ本体の周壁の一部に、引き裂きラインを介して該チューブ本体に一体成形され、且つ、該引き裂きラインで長手方向の全長にわたって縦に引き裂かれることにより、該チューブ本体から切り離される切離片を設け、その切離片の断面形状を、径方向外側に鋭角の尖鋭部を有する断面形状に設定したことを特徴とする。
【００１４】
請求項２の発明は、請求項１に記載の電線保護チューブであって、前記チューブ本体に長手方向に沿ってスリットが設けられており、そのスリットに隣接した前記チューブ本体の周壁端部に前記切離片が設けられていることを特徴とする。
【発明の効果】
【００１５】
請求項１の発明によれば、引き裂きラインで切り離される切離片の断面形状を、径方向外側に鋭角の尖鋭部を有する断面形状に設定したので、電線保護チューブの外側にテープを巻いてある場合でも、切離片を引き裂くと同時に、その切離片の尖鋭部によってテープを引き裂くことができる。従って、電線保護チューブとテープを同時にワイヤーハーネスから引き剥がすことができ、特別な工具を用いることなく、解体作業を容易に行うことができる。また、切離片１４は、チューブ本体と一体成形したものであるから、コスト上昇を最小限に抑えることができる。
【００１６】
請求項２の発明によれば、ワイヤーハーネスへの装着が容易なスリット付きのチューブであるため、多くの場合、その外側からテープを巻き付けて使用することになるが、テープを巻き付けている場合であっても、前述のように切離片の尖鋭部で簡単にテープを引き裂くことができるため、解体作業を容易に行うことができる。
【発明を実施するための最良の形態】
【００１７】
以下、本発明の実施形態を図面を参照して説明する。
【００１８】
図１は実施形態の電線保護チューブの概略構成を示す斜視図、図２は切離片を切り離し出した状態を示す斜視図、図３は切離片を長手方向に沿って引き裂いている状態を示す斜視図、図４は切離片の引き裂きと同時に外側に巻いたテープを引き裂いている状態を示す斜視図である。
【００１９】
この電線保護チューブとしてのコルゲートチューブ１０は、図１〜図３に示すように、樹脂成形されたチューブ本体１１の周壁の一部に、引き裂きライン１３を介してチューブ本体１１に一体成形され、且つ、引き裂きライン１３で長手方向の全長にわたって縦に引き裂かれることにより、チューブ本体１１から切り離される切離片１４を設け、その切離片１４の断面形状を、径方向外側に鋭角の尖鋭部１４ａを有する三角形状に設定したものである。
【００２０】
この場合、チューブ本体１１には、長手方向に沿ってスリット１２が設けられており、そのスリット１２に隣接したチューブ本体１１の周壁端部に前記切離片１４が設けられている。
【００２１】
次に作用を説明する。
【００２２】
ワイヤーハーネスへの装着は、従来のスリット付きのコルゲートチューブと同様に行うことができる。即ち、ワイヤーハーネスにコルゲートチューブ１０のスリット１２部分を押し付けて、スリット１２を押し広げることにより、ワイヤーハーネスの外周に装着することができる。そして、実際の使用時は、図４に示すように、その上からテープＴを巻き付けて使用する。その際、コルゲートチューブ１０の端部はテープＴの巻き付け端から外に出しておく。
【００２３】
廃車時などにおいてコルゲートチューブ１０の解体の必要が生じた場合は、図４に示すように、引き裂きライン１３で切離片１４を縦に引き裂く。そうすると、引き裂きライン１３で切り離される切離片１４の断面形状が径方向外側に鋭角の尖鋭部１４ａを有する断面形状に設定されているので、切離片１４を引き裂くと同時に、その切離片１４の尖鋭部１４ａによって、テープＴを簡単に引き裂くことができる。
【００２４】
従って、コルゲートチューブ１０とテープＴを同時にワイヤーハーネスから引き剥がすことができ、特別な工具を用いることなく、解体作業を容易に行うことができる。この場合、切離片１４は、チューブ本体１１と一体成形したものであるから、コスト上昇を最小限に抑えることができる。
【００２５】
尚、前記実施形態では、電線保護チューブとしてコルゲートチューブを用いた場合について説明したが、電線保護チューブはコルゲートチューブに限られるものではなく、シート状のものから成るチューブや円筒状のチューブ等の他のチューブも含むことは勿論である。
【図面の簡単な説明】
【００２６】
【図１】本発明の実施形態のコルゲートチューブ（電線保護チューブ）の概略構成を示す斜視図である。
【図２】同コルゲートチューブにおいて、切離片を切り離し出した状態を示す斜視図である。
【図３】同コルゲートチューブにおいて、切離片を長手方向に沿って引き裂いている状態を示す斜視図である。
【図４】同コルゲートチューブの切離片の引き裂きと同時に、外側に巻いたテープを引き裂いている状態を示す斜視図である。
【図５】従来のコルゲートチューブの例を示す斜視図である。
【符号の説明】
【００２７】
１０  コルゲートチューブ（電線保護チューブ）
１１  チューブ本体
１２  スリット
１３  引き裂きライン
１４  切離片
１４ａ  尖鋭部
【図１】
2007202338.tif 000003
【図２】
2007202338.tif 000004
【図３】
2007202338.tif 000005
【図４】
2007202338.tif 000006
【図５】
2007202338.tif 000007